(57)【要約】【課題】使用前は極めて薄いかさばらないパッケージにすることが可能な簡易エプロンであり、使用時は簡易な操作で十分な空隙を持ち、食べこぼしや飲み物のしずくなどを効果的にキャッチする受け部が形成されるように構成した簡易エプロンを提供する。【解決手段】簡易エプロン10は、シート状のエプロン本体11と、受け部形成用シート12であって、前記エプロン本体の裏面の下部の略周縁に、該受け部形成用シートの略周縁が連結または接着された受け部形成用シートを有し、受け部形成用シートを該エプロン本体の裏面側から表面側に裏返すことによって、該エプロン本体の表面の下部に、該受け部形成用シートと該エプロン本体との間に空隙を持った受け部RCVが形成されるように構成したものである。【選択図】図１
0003177281.tif 000002
【実用新案登録請求の範囲】
【請求項１】
シート状のエプロン本体と、
受け部形成用シートであって、前記エプロン本体の裏面の下部の略周縁に、該受け部形成用シートの略周縁が連結または接着された受け部形成用シートと、を有し、
該受け部形成用シートを該エプロン本体の裏面側から表面側に裏返すことによって、該エプロン本体の表面の下部に、該受け部形成用シートと該エプロン本体との間に空隙を持った（食べこぼしまたは飲み物のしずくを受けるような）受け部が形成されるように構成した簡易エプロン。
【請求項２】
請求項１に記載の簡易エプロンにおいて、
前記エプロン本体の下部の形状が半円状であり、
前記受け部形成用シートの形状が、該エプロン本体の下部の形状に略対応した形状である、
ことを特徴とする簡易エプロン。
【請求項３】
請求項２に記載の簡易エプロンにおいて、
前記受け部形成用シートが、略台形状の形状であり、
該エプロン本体の下部の最も下の部分に、該受け部形成用シートと重ならない、弧状の底部形成用領域があり、
該受け部形成用シートを該エプロン本体の表側に裏返すことによって形成される前記受け部の底の部分に前記底部形成用領域が配置され、底部が形成されるように構成した、
ことを特徴とする簡易エプロン。
【請求項４】
請求項１−３のいずれか１項に記載の簡易エプロンにおいて、
前記エプロン本体の表面側は、防水或いは耐水の部材である、
ことを特徴とする簡易エプロン。
【請求項５】
請求項１−４のいずれか１項に記載の簡易エプロンにおいて、
前記エプロン本体の上部に、首にかけるための環状部があり、
前記環状部に切断可能な切込みがあり、該切込みの近傍の一方の表面、および、他方の裏面にそれぞれ面ファスナーが配置され、切断後に面ファスナー同士で連結して再度環状部が形成されるように構成した、
ことを特徴とする簡易エプロン。
【請求項６】
請求項１−５のいずれか１項に記載の簡易エプロンにおいて、
前記受け部形成用シートの最も上の部分に、補強用シートが連結、接着、或いは、縫い付けられ、
該受け部形成用シートを該エプロン本体の表側に裏返すことによって形成される前記受け部において、前記補強用シートの元の形状に戻ろうとする復元力によって、該受け部形成用シートの最も上の部分が円弧状の形状となり、該エプロン本体との間に形成される空隙を保持するように構成した、
ことを特徴とする簡易エプロン。
【考案の詳細な説明】
【技術分野】
【０００１】
本考案は、簡易エプロンに関するものであり、特に、受け部形成用シートを裏返すことによって受け部が形成されるように構成した簡易エプロンに関する。
【背景技術】
【０００２】
従来の簡易エプロンには、食べこぼしを受けるポケットを形成したものがあった。しかし、ポケットが十分に食べこぼしを受けるように形状を保持することが難しかった。ポケットの形状を保持するためには、例えば、特許文献１のような「エプロンとその製造方法」が提案されている。これは、端部同士を前側で連結させてポケットを形成させる手法である。
【特許文献１】特開平７−１５０４０２公報
【考案の開示】
【考案が解決しようとする課題】
【０００３】
しかし、従来技術では、十分に空隙を持ったポケットを形成させた場合にはかさばるといった問題がある。また、これを畳んでパッケージとした場合には、ポケットがしぼんで十分な空隙を持つポケットに復元しにくいといった問題点があった。
【０００４】
即ち、簡易な構成で使用時には、十分な空隙を持ちつつ食べこぼしをキャッチするポケットや受け部を形成でき、かつ、出荷時のパッケージでは、薄く畳める構成の簡易エプロンが求められているが、このような製品は開発されていない。
【０００５】
本考案は、上記の事情を考慮してなされたもので、その目的は、出荷時や販売時などの使用前には、極めて薄いかさばらないパッケージにすることが可能な簡易エプロンであり、使用時には、簡易な操作で十分な空隙を持ち、食べこぼしや飲み物のしずくなどを効果的にキャッチする受け部が形成されるように構成した簡易エプロンを提供することである。
【課題を解決するための手段】
【０００６】
第１の考案による簡易エプロンは、
シート状のエプロン本体と、
受け部形成用シートであって、前記エプロン本体の裏面の下部の略周縁に、該受け部形成用シートの略周縁が連結または接着された受け部形成用シートと、を有し、
該受け部形成用シートを該エプロン本体の裏面側から表面側に裏返すことによって、該エプロン本体の表面の下部に、該受け部形成用シートと該エプロン本体との間に空隙を持った（食べこぼしまたは飲み物のしずくを受けるような）受け部が形成されるように構成したものである。
【０００７】
また、第２の考案による簡易エプロンは、
前記エプロン本体の下部の形状が半円状であり、
前記受け部形成用シートの形状が、該エプロン本体の下部の形状に略対応した形状である、
ことを特徴とする。
【０００８】
また、第３の考案による簡易エプロンは、
前記受け部形成用シートが、略台形状の形状であり、
該エプロン本体の下部の最も下の部分に、該受け部形成用シートと重ならない、弧状の底部形成用領域があり、
該受け部形成用シートを該エプロン本体の表側に裏返すことによって形成される前記受け部の底の部分に前記底部形成用領域が配置され、底部が形成されるように構成した、
ことを特徴とする。
【０００９】
また、第４の考案による簡易エプロンは、
前記エプロン本体の表面側は、防水或いは耐水の部材である、
ことを特徴とする。
また、エプロン本体、その他の部材のすくなくとも１つは、不織布とすることが好適である。安価であり使い捨てに適したものだからである。
【００１０】
また、第５の考案による簡易エプロンは、
前記エプロン本体の上部に、首にかけるための環状部があり、
前記環状部に切断可能な切込みがあり、該切込みの近傍の一方の表面、および、他方の裏面にそれぞれ面ファスナーが配置され、切断後に面ファスナー同士で連結して再度環状部が形成されるように構成した、
ことを特徴とする。
【００１１】
また、第６の考案による簡易エプロンは、
前記受け部形成用シートの最も上の部分に、補強用シートが連結（例えば、糸を使わない打ち込みによるパンチ穴での連結など）、接着、或いは、縫い付けられ、
該受け部形成用シートを該エプロン本体の表側に裏返すことによって形成される前記受け部において、前記補強用シートの元の形状に戻ろうとする復元力によって、該受け部形成用シートの最も上の部分が円弧状の形状となり、該エプロン本体との間に形成される空隙を保持するように構成した、
ことを特徴とする。
【考案の効果】
【００１２】
本考案によれば、出荷時や販売時などの使用前には、薄いシートを２つ重ねた構造であるため極めて薄いかさばらないパッケージにすることが可能であり、使用時には、簡易な操作で十分な空隙を持ち、食べこぼしや飲み物のしずくなどを効果的にキャッチする受け部が形成される簡易エプロンを提供することが可能となる。
【考案を実施するための最良の形態】
【００１３】
本考案の具体的な実施例を図１から図６を参照して詳細に説明する。
【００１４】
図１は、本考案の一実施態様による簡易エプロンの基本的な構成を示すブロック図である。図１に示すように、簡易エプロン１０は、シート状のエプロン本体１１および受け部形成用シート１２が主要な構成要素である。受け部形成用シート１２は、エプロン本体の裏面の下部の略周縁に、該受け部形成用シートの略周縁が連結または接着されている。この図は、受け部形成用シート１２とエプロン本体１１の裏面側から見た図である。受け部形成用シート１２をエプロン本体１１の裏面側から表面側に裏返すことによって、エプロン本体１１の表面の下部に、該受け部形成用シートと該エプロン本体との間に空隙を持った（食べこぼしまたは飲み物のしずくを受けるような）受け部ＲＣＶ（１２）が形成されるように構成した簡易エプロン１０である。即ち、受け部形成用シート１２は、使用前は、エプロン本体１１と一体としてほぼ一枚の形状のパッケージであるが、使用時には、裏返すことによって受け部ＲＣＶ（１２）に変換する。
【００１５】
図に示すように、エプロン本体１１の下部の形状が半円状であり、記受け部形成用シート１２の形状が、エプロン本体１１の下部の形状に略対応した形状である。また、受け部形成用シート１２が、略台形状の形状である。また、エプロン本体１１の下部の最も下の部分に、該受け部形成用シートと重ならない、弧状の底部形成用領域１３が設けてある。受け部形成用シート１２をエプロン本体１１の表側に裏返すことによって形成される受け部ＲＣＶの底の部分に底部形成用領域１３が配置され、底部ＢＴＭ（１３）が形成されるように構成してある。
【００１６】
図２は、図１の簡易エプロンの使用時の構成・形状を示すブロック図である。図２では、エプロン本体１１の表面側がみえている。使用時には、この表側が外から見えるにようにして人体に装着して使用する。エプロン本体１１の表面側は、防水或いは耐水の部材とすることが好適である。例えば、不織布に防水や耐水処理した薄いシートを接合したものが好適である。このように、エプロン本体１１、その他の部材のすくなくとも１つは、不織布とすることが好適である。安価であり使い捨てに適したものだからである。
【００１７】
エプロン本体１１の上部に、首にかけるための環状部があり、環状部に切断可能な切込みＣＬがあり、切込みＣＬの近傍の一方の表面、および、他方の裏面にそれぞれ面ファスナーＳＦが配置され、切断後に面ファスナー同士で連結して再度環状部が形成されるように構成することが好適である。
【００１８】
受け部形成用シート１２の最も上の部分に、補強用シートＲＩＢが連結（例えば、糸を使わない打ち込みによるパンチＰＮＣ穴での連結など）、接着、或いは、縫い付けられている。エプロン本体１１の裏側に設けられた受け部形成用シート１２をエプロン本体１１の表側に裏返すことによって形成される受け部ＲＣＶにおいて、補強用シートの元の形状に戻ろうとする復元力（即ち、直線状に戻ろうとする力）によって、受け部形成用シート１２の最も上の部分が円弧状の形状となり、エプロン本体１１との間に形成される空隙を保持するように構成してある。即ち、本実施態様によれば、使用時には、十分な空隙を持ちつつ食べこぼしをキャッチする受け部ＲＣＶを形成でき、かつ、出荷時のパッケージ（図１の態様）では、薄く畳める構成の簡易エプロンを提供することが可能となった。
【００１９】
図３は、図１の簡易エプロンの分解図を示すブロック図である。この図では、簡易エプロン１０の構造を明確にするために、簡易エプロン１０を横からみたときの構造を図中の右側に提示してある。図３に示すように、受け部形成用シート１２の上部かつ内側に補強用シートＲＩＢが設けられている。図示していないが、受け部形成用シート１２と補強用シートＲＩＢとの間には、面ファスナー、両面テープ、或いは、パンチなどで接着、連結、接合されている。受け部形成用シート１２は、エプロン本体１１に接着、連結、接合されているが、接着層や連結部材などは作図と説明の便宜上、この図では省略してある。
【００２０】
図４は、図１の簡易エプロンが使用前と使用時の形状の変化を説明するブロック図である。図中の左が使用前のパッケージの状態であり、極めて薄くて出荷、販売、搬送に適して形状であり、容積を最小化することが可能である。そして、使用時には、受け部形成用シート１２を表側に裏返すことによって、受け部ＲＣＶ（１２）が形成される。受け部形成用シート１２をエプロン本体１１の表側に裏返すことによって形成される受け部ＲＣＶの底の部分に底部形成用領域１３は、同様に裏返すことによって底部ＢＴＭ（１３）が形成される。この底部ＢＴＭは、防水した面の側が丁度露出するように構成してある。
【００２１】
図５は、図１の簡易エプロンの製造工程の一例を説明するブロック図である。図に示すように、受け部形成用シート１２と補強用シートＲＩＢとは、パンチＰＮＣによって連結される。そして、受け部形成用シート１２は、両面テープＴＢの接着力によってエプロン本体１１に連結される。上述したように、両面テープＴＢの代わりに、受け部形成用シート１２に第１の面ファスナーを設けて、対応するエプロン本体１１の下部には、第１の面ファスナーとどの位置でも自在に連結可能な第２の面ファスナーを設けてもよい。
【００２２】
図６は、本考案の別の実施態様による簡易エプロンの基本的な構成を示すブロック図である。図１の簡易エプロンとほぼ同様であるが、図６では、首にかける環状部が予め切り離されており、使用時には、面ファスナーＳＦで連結して首にかけて使用する。即ち、図に示すように、簡易エプロン２０は、シート状のエプロン本体２１および受け部形成用シート２２が主要な構成要素である。説明を省略した、或いは言及しない部材や構造は、１−５のものと同様である。
【００２３】
受け部形成用シート２２は、エプロン本体の裏面の下部の略周縁に、該受け部形成用シートの略周縁が連結または接着されている。この図は、受け部形成用シート２２とエプロン本体２１の裏面側から見た図である。受け部形成用シート２２をエプロン本体２１の裏面側から表面側に裏返すことによって、エプロン本体２１の表面の下部に、該受け部形成用シートと該エプロン本体との間に空隙を持った（食べこぼしまたは飲み物のしずくを受けるような）受け部ＲＣＶ（２２）が形成されるように構成した簡易エプロン１０である。即ち、受け部形成用シート２２は、使用前は、エプロン本体２１と一体としてほぼ一枚の形状のパッケージであるが、使用時には、裏返すことによって受け部ＲＣＶ（２２）に変換する。
【００２４】
図に示すように、エプロン本体２１の下部の形状が半円状であり、受け部形成用シート２２の形状が、エプロン本体２１の下部の形状に略対応した形状である。また、受け部形成用シート２２が、略台形状の形状である。また、エプロン本体２１の下部の最も下の部分に、該受け部形成用シートと重ならない、弧状の底部形成用領域２３（ＲＣＶ）が設けてある。受け部形成用シート２２をエプロン本体２１の表側に裏返すことによって形成される受け部ＲＣＶの底の部分に底部形成用領域２３が配置され、底部ＢＴＭ（２３）が形成されるように構成してある。
【００２５】
本考案を諸図面や実施例に基づき説明してきたが、当業者であれば本開示に基づき種々の変形や修正を行うことが容易であることに注意されたい。従って、これらの変形や修正は本考案の範囲に含まれることに留意されたい。例えば、各部の形状は、エプロン、特に、よだれ掛けはたべこぼしの受け用のスタイなどに適したものであれば、様々な形状に変えることが可能である。
【図面の簡単な説明】
【００２６】
【図１】図１は、本考案の一実施態様による簡易エプロンの基本的な構成を示すブロック図である。
【図２】図２は、図１の簡易エプロンの使用時の構成・形状を示すブロック図である。
【図３】図３は、図１の簡易エプロンの分解図を示すブロック図である。
【図４】図４は、図１の簡易エプロンが使用前と使用時の形状の変化を説明するブロック図である。
【図５】図５は、図１の簡易エプロンの製造工程の一例を説明するブロック図である。
【図６】図６は、本考案の別の実施態様による簡易エプロンの基本的な構成を示すブロック図である。
【符号の説明】
【００２７】
１０，２０  簡易エプロン
１１，２１  エプロン本体
１２，２２  部形成用シート
１３，２３  底部形成用領域
ＢＴＭ  底部
ＰＮＣ  パンチ
ＲＣＶ  受け部
ＲＩＢ  補強用シート
ＳＦ  面ファスナー
ＴＢ  両面テープ
【図１】
0003177281.tif 000003
【図２】
0003177281.tif 000004
【図３】
0003177281.tif 000005
【図４】
0003177281.tif 000006
【図５】
0003177281.tif 000007
【図６】
0003177281.tif 000008